(57)【要約】      （修正有）【課題】ボトムをスノコ状に形成した場合、ボトム下に収容された引出し内部の衣類を、ボトム下に流れる湿気から保護できるようにしたベッド装置を提供する。【解決手段】マットレスが載置されるスノコ状のボトム２４を主体とし、ボトム２４の下方側面が側面開口部２６を介して外部に開放された収納空間３１、３２が画成されたベッド本体２０と、収納空間３１、３２に側面開口部２６を介して出入り自由に収容され、上側に上面開口部が形成された引出し４０、５０と、ボトム２４の下面側と引出し４０、５０との間に挿脱自在に装着され、外部に対して空気調和機能を発揮する空気調和パネル体６０とを備えるベッド装置。【選択図】図５
2007319285.tif 000002
【特許請求の範囲】
【請求項１】
マットレスが載置されるスノコ状のボトムを主体とし、前記ボトムの下方側面が側面開口部を介して外部に開放された収納空間が画成されたベッド本体と、前記収納空間に前記側面開口部を介して出入り自由に収容され、上側に上面開口部が形成された引出しと、前記ボトムの下面側と前記引出しとの間に装着され、外部に対して空気調和機能を発揮する空気調和パネル体とを備えるベッド装置。
【請求項２】
前記空気調和パネル体は、内部に区画が形成された扁平筐体フレーム部と、前記区画の内部に収容され、少なくとも脱臭及び／又は吸湿を行う空気調和部材とを備える、請求項１〜２のベッド装置。
【請求項３】
前記筐体フレーム部の上面及び下面の少なくとも一方は、不織布その他の通気性材料で形成された請求項２のベッド装置。
【請求項４】
前記空気調和部材は、活性炭、多孔性材料及びシリカゲルから選択され、前記多孔性材料は、ホルムアルデヒド、アセトアルデヒド、ＶＯＣ（揮発性有機化合物その他の有害物質を吸着分解する薬剤（例えばビタミンＢｘ、Ｘ＝１、２、・・・）が、必要に応じて、添着される、請求項１記載のベッド装置。
【請求項５】
前記多孔性材料は、セピオライト、アタパルジャイト、ゼオライト及びシリカから選択される、請求項４記載のベッド装置。
【請求項６】
前記空気調和部材は、多孔性材料が含浸された紙材である、請求項２記載のベッド装置。
【請求項７】
前記紙材は、九十九折状及び格子状の何れかに形成される、請求項６記載のベッド装置。
【請求項８】
前記空気調和パネル体は、前記側面開口部を介して着脱可能とされる、請求項１記載のベッド装置。
【発明の詳細な説明】
【技術分野】
【０００１】
本発明は、ベッド装置に関し、特にボトムの下側空間に収納用引出しが収容されたベッド装置に関する。
【背景技術】
【０００２】
近年、ベッドのボトムの下側空間に収納用引出しを配置して収納量を増加させる工夫が施される多い。この場合、ボトムが平板であると、ボトムに載置されたマットレスの下面側の通気が悪くなり、汗等の影響により、ボトムとマットレス下面との間の空隙に湿気がこもりやすく、黴の発生の可能性が多分にあった。
【０００３】
かような問題に対処するために、特許文献１は、ボトムをスノコ状に形成すると共に、ボトム下面と引出しの上面との間に所定の隙間を設けたベッド装置を提供する。
【特許文献１】登録実用新案第３１０６８１８号公報
【発明の開示】
【発明が解決しようとする課題】
【０００４】
特許文献１に開示されたベッド装置においては、ボトムをスノコ状に形成し且つボトム下面と引出しの上面との間に所定の隙間を設けたので、ボトムとマットレス下面との間の空隙にこもりやすかった湿気が、スノコ状のボトムを介して、ボトム下の隙間に流出し、湿気がマットレスを損傷する危惧は、確かに、払拭される。
【０００５】
しかしながら、スノコ状のボトム下の隙間に排出された湿気は、引出しの中に流入してしまうので、引出しの中に洗濯した後の衣類などが収納されている場合、この衣類が湿気てしまう。
【０００６】
それ故に、本発明は、ボトムをスノコ状に形成した場合、ボトム下に収容された引出し内部の衣類を、ボトム下に流れる湿気から保護できるようにしたベッド装置を提供せんことを、その技術的課題とする。
【課題を解決するための手段】
【０００７】
上記の課題を解決するために講じた技術的手段は、請求項１に記載のように、
「マットレスが載置されるスノコ状のボトムを主体とし、前記ボトムの下方側面が側面開口部を介して外部に開放された収納空間が画成されたベッド本体と、前記収納空間に前記側面開口部を介して出入り自由に収容され、上側に上面開口部が形成された引出しと、前記ボトムの下面側と前記引出しとの間に装着され、外部に対して空気調和機能を発揮する空気調和パネル体とを備えるベッド装置。」
を構成したことである。
【発明の効果】
【０００８】
本発明のベッド装置においては、スノコ状のボトム下に排出された湿気は、ボトム下に装着された空気調和面状体により除湿されるので、ボトム下に収容された引出し内部の衣類その他のアイテムは、湿気から保護される。
【発明を実施するための最良の形態】
【０００９】
以下、本発明のベッド装置を具体化した一実施の形態を、図面を参照して詳細に説明する。
【００１０】
図１〜図６において、ベッド装置１０は、ベッド本体２０を備える。ベッド本体２０は、床面に設置される底板２１と、底板２１のヘッド側（長手方向の一端部：図１・３で見て左側端部）に固定されて上方に延出するヘッドプレート２２と、底板２１のフット側（長手方向の他端部：図１・３で見て右側端部）に固定されて上方に延出するフットプレート板２３と、ヘッド側及びフット側が夫々ヘッドプレート２２の上端部及びフットプレート２３の上端部に固定されたボトム２４と、底板２１の長手方向中間部とボトム２４の長手方向中間部とを連結する中間壁板２５とから構成される。かように構成されたベッド本体２０においては、ボトム２４の下側には、短手方向の一方側の側面開口部２６を介して外部に開放された２つの空間部３１・３２が画成されており、後述するように、この空間部３１・３２には、上側に上面開口部が形成された引出し４０・５０が、自由に出入り可能となっている。
【００１１】
ベッド本体部２０の、短手方向の他方側の側面開口部２７は、空間部３１・３２への埃の侵入防止を主たる目的として、側板２８により閉塞される。しかして、ボトム２４は、スノコ状に形成されており、ボトム２４の上面側と下面側（つまり、空間部３１・３２）は、常時、連通している。また、ボトム２２の上には、マットレス（図示略）が載置されるようになっている。
【００１２】
上記のように構成されるベッド本体２０は、マットレスが載置されるスノコ状のボトム２４を主体とし、ボトム２４の下方側が側面開口部２９を介して外部に開放された収納空間３１・３２が画成される。
【００１３】
上記したように、ベッド本体２０の空間部３１（３２）には、上側に上面開口部が形成された引出し４０（５０）が、自由に出入り可能となっている。引出し４０のヘッド側の側板（フット側の側板）との間及び引出し５０のヘッド側の側板（フット側の側板）との間には、夫々、周知のスライド機構が介装されており、これらスライド機構が引出し４０（５０）がベッド本体２０の空間部３１（３２）への自由な出入りを容易ならしめている。引出し４０（５０）の上面開放部は、所定の間隔をおいて、スノコ状のボトム２４と対向している。引出し４０（５０）の空間部３１（３２）内への収納時、引出し４０（５０）の前板４１（５１）はボトム２４の一方の長手方向側面と当接しており、且つ前板４１（５１）の上端面はボトム２４の表面と面一となっている。引出し４０（５０）の空間部３１（３２）内への収納時、引出し４０（５０）の上面開口部は、引出し４０（５０）の前板４１（５１）とボトム２４の一方の長手方向側面との当接構造、後述の空気調和パネル体６０（６０）及びボトム２４の他方の長手方向の下側を閉塞する側板２８により、ベッド本体部２０の外側から遮断され、引出し４０（５０）の上面開口部への埃の侵入が防止される。
【００１４】
ボトム２４の下面側には、外部に対して空気調和機能を発揮する空気調和パネル体６０・６０が装着される。具体的には、図６に示されるように、ボトム２４の下面側と引出し４０（５０）の上側に位置する一対の桟８０・８０（一方のみ図示）に着脱自在（つまり、側面開口部２６を介して着脱可能）に保持されるか、図７に示されるように、ボトム２４の下面側と引出し４０（５０）の上側に位置する一対の溝８５・８５（一方のみ図示）に滑動可能且つ着脱自在（つまり、側面開口部２６を介して着脱可能）に保持される。
【００１５】
図８及び図９に具体的に示されるように、空気調和パネル体６０は、内部に複数の区画６１が画成された扁平筐体フレーム部６２を備える。この扁平筐体フレーム部６２は、区画６１を画成するコア部材６３と、区画６１の内部に収容されたセピオライト粒子６４と、コア部材６３の上面側に装着され、通気性部材たる不織布で形成された上面体６５と、コア部材６３の下面側に装着され、通気性部材たる不織布で形成されたの下面体６６とから構成される。セピオライト粒子６４は、除湿・脱臭といった空気調和機能を発揮する。尚、セピオライト粒子６４に、薬剤（例えばビタミンＢｘ、Ｘ＝１、２、・・・）を、必要に応じて添着すれば、ホルムアルデヒド、アセトアルデヒド、ＶＯＣ（揮発性有機化合物その他の有害物質を吸着分解できる。また、セピオライト粒子６４の他、活性炭、シリカゲル、セピオライト粒子以外の多孔性粒子（例えば、アタパルジャイト粒子、ゼオライト粒子、シリカ粒子等）を採用することが出来る。これらの粒子にも、必要に応じて、上記薬剤を添着すれば、ホルムアルデヒド、アセトアルデヒド、ＶＯＣ（揮発性有機化合物その他の有害物質を吸着分解できる。
【００１６】
しかして、スノコ状のボトム２４上にはマットレスが載置されているので、使用者の発汗に伴う湿気・臭いは、ボトム２４の下側に排出されるが、ボトム２４の下側には空気調和パネル体６０が装着されているので、除湿・脱臭がなされて、ボトム２４の下に収容された引出し４０（５０）の内部の衣類その他のアイテムは、湿気・悪臭から保護される。
【００１７】
尚、図１０に示されるように、空気調和部材として、セピオライトその他の多孔性材質を含浸透し且つ格子状に形成された紙材６２や、図１０に示されるように、空気調和部材として、セピオライトその他の多孔性材質を含浸透し且つ九十九折状に形成された紙材６４を採用しても良い。また、空気調和機能としては、除湿か脱臭の何れか一方のみでも良い。
【図面の簡単な説明】
【００１８】
【図１】本発明の一実施の形態に係るベッド装置の、長手方向側面図である。
【図２】図１のベッド装置の、短手方向側面図である。
【図３】図１のベッド装置の、長手方向に沿う内部構造を説明する図である。
【図４】図１のベッド装置の、短手方向に沿う内部構造を説明する図である。
【図５】図１のベッド装置に採用される、第１形態のヘッドボードの単体裏面図である。
【図６】図３のＡ部近傍の内部構造を示す図である。
【図７】図６に示す構成の変形例を説明する図である。
【図８】図３に示される空気調和パネル体の内部を平面的に示す図である。
【図９】図３に示される空気調和パネル体の骨格を示す図である。
【図１０】セピオライトが含有され且つ格子状に形成された紙材の平面図である。
【図１１】セピオライトが含有され且つ九十九折状に形成された紙材の平面図である
【符号の説明】
【００１９】
１０：ベッド装置
２０：ベッド本体
２４：ボトム
２５：側面開口部
３１・３２：収納空間
６０：空気調和パネル体
【図１】
2007319285.tif 000003
【図２】
2007319285.tif 000004
【図３】
2007319285.tif 000005
【図４】
2007319285.tif 000006
【図５】
2007319285.tif 000007
【図６】
2007319285.tif 000008
【図７】
2007319285.tif 000009
【図８】
2007319285.tif 000010
【図９】
2007319285.tif 000011
【図１０】
2007319285.tif 000012
【図１１】
2007319285.tif 000013